(57)【要約】【課題】８０ｍｍディスク及び１２０ｍｍディスクのいずれかがプレーヤーの内部にローディングされるとき、ディスクのサイズにかかわらず、単一のメカニズムでターンテーブルのセンターに正確に定着できるようにしたスロットインタイプの光ディスクプレーヤーを提供する。【解決手段】ローディング部（１００）に挿入される光ディスクを常にプレーヤー入口（１６）のセンターに正確に案内するためのガイド手段を有し、８０ｍｍ及び１２０ｍｍ光ディスクのいずれでも駆動させ得るディスクガイド装置を有するが、このディスクガイド装置は、チャッキングプレート（２１０）、ガイドアーム（２２０）、セレクトアーム（２３０）、プッシュアーム（２４０）及びプッシュレバー（２５０）を含む。【選択図】図１
2005332550.tif 000002
【特許請求の範囲】
【請求項１】
直径の相違した光ディスクをプレーヤーの内部のターンテーブルのセンターに正確に案内するガイド装置を備えたスロットインタイプの光ディスクプレーヤーにおいて、
前記ガイド装置は、
プレーヤー本体に、後部のチャッキング回転軸を中心に上下に回動可能に取り付けられ、前部には光ディスクのセンターの上面を加圧するチャックを有するチャッキングプレートと、
前記チャッキングプレートの底面に前後に移動可能に取り付けられ、底面の両端には、引き込まれる光ディスクをターンテーブルのセンターに正確に案内する掛かり突起が突設されたガイドアームと、
前記チャッキングプレートの上面に中心軸を中心に所定の角度に回転可能に取り付けられ、一端は前記ガイドアームに連結され、他端は第１ロッカー係止孔及び第２ロッカー係止孔を有するロッカー案内孔が形成され、一部に連結されたスプリングにより、ガイドアームを前方に移動させようとする回転力を有するセレクトアームと、
前記チャッキングプレートの底面で、前記セレクトアームの中心軸に結合され、中心軸を中心に所定の角度に回転可能にかつ左右に直線移動可能に取り付けられ、一部には、前記ロッカー案内孔に挿入されロッカー係止孔に係止されるロッカーが設けられ、一部に連結されたスプリングによりプッシュ方向の反対方向に移動しようとする力を有するプッシュアームと、
前記プレーヤー本体の一部に取り付けられ、前端には、大直径の光ディスクがローディングされるとき、光ディスクにより押し付けられる掛かりピンが下方に延設され、光ディスクが掛かりピンを押すと、回転中心軸を中心に回転して前記プッシュアームの一部を加圧して、プッシュアームのロッカーをロッカー係止孔から離脱させ、一部に連結されたスプリングにより、掛かりピンを押している力が除去されると、元の状態に復帰するプッシュレバーとを含んでなることを特徴とするスロットインタイプの光ディスクプレーヤー。
【請求項２】
前記チャッキングプレートの中間部には前後方向に長いスロットが形成され、前記ガイドアームの上面中間部には、前記チャッキングプレートのスロットに挿入されスロットに沿って移動するスライダが設けられ、前記ガイドアームはチャッキングプレートの底面で前後に移動可能に構成されることを特徴とする請求項１に記載のスロットインタイプの光ディスクプレーヤー。
【請求項３】
前記ガイドアームの上面には、スライダから所定の間隔を置いて連結片が突設され、前記セレクトアームの一端には、連結片が結合される連結孔が長く形成されることにより、セレクトアームとガイドアームが連結されることを特徴とする請求項２に記載のスロットインタイプの光ディスクプレーヤー。
【請求項４】
前記セレクトアームの中心軸の下端にはフックが形成され、前記プッシュアームには、セレクトアームの中心軸が結合されるスライド孔が長く形成され、前記プッシュアームはスライド孔に沿って左右に直線移動可能に構成されることを特徴とする請求項１に記載のスロットインタイプの光ディスクプレーヤー。
【請求項５】
プレーヤー入口に挿入される光ディスクをターンテーブルに定着させるため、プレーヤー本体内にローディングさせるローディング部を備えたスロットインタイプの光ディスクプレーヤーにおいて、
前記プレーヤー入口には、センターに対して左右に、かつ対称にそれぞれガイドピンが設けられ、プレーヤー入口に挿入される光ディスクにガイドピンが接触し、光ディスクの直径によってセンターから同一幅に広がりながら光ディスクをプレーヤー入口のセンターに案内するように構成されるガイド手段を含んでなることを特徴とするスロットインタイプの光ディスクプレーヤー。
【請求項６】
前記ガイド手段は、
前記プレーヤー入口の上部センターに回転可能に設けられるピニオンギヤと、
前記プレーヤー入口の上部で横方向に直線移動可能に設けられ、一部にはピニオンギヤの上部と噛み合うラックギヤが形成され、前部には前記左側ガイドピンが設けられて下方に延在してプレーヤー入口に露出するようになった左側ガイダーと、
前記プレーヤー入口の上部で横方向に直線移動可能に設けられ、一部にはピニオンギヤの下部と噛み合うラックギヤが形成され、前部には前記右側ガイドピンが設けられて下方に延在してプレーヤー入口に露出するようになった右側ガイダーと、
前記左側ガイダーと右側ガイダーに連結され、前記ガイドピンを互いに引き寄せる方向に弾性力を付与するスプリングとを含むことを特徴とする請求項５に記載のスロットインタイプの光ディスクプレーヤー。
【請求項７】
プレーヤー入口には、挿入される光ディスクをプレーヤー本体内にローディングさせるローディング部が設けられ、内部には、直径の相違した光ディスクをターンテーブルのセンターに正確に案内するガイド装置が設けられ、一部には、光ディスクがターンテーブルのセンターに定着されると、ターンテーブルの回転中に光ディスクが分離しないように保持するチャッキング部が設けられたスロットインタイプの光ディスクプレーヤーにおいて、
前記ガイド装置は、
プレーヤー本体に、後部のチャッキング回転軸を中心に上下に回動可能に取り付けられ、前部には光ディスクのセンターの上面を加圧するチャックを有するチャッキングプレートと、
前記チャッキングプレートの底面に前後に移動可能に取り付けられ、底面の両端には、引き込まれる光ディスクをターンテーブルのセンターに正確に案内する掛かり突起が突設されたガイドアームと、
前記チャッキングプレートの上面に中心軸を中心に所定の角度に回転可能に取り付けられ、一端は前記ガイドアームに連結され、他端は第１ロッカー係止孔及び第２ロッカー係止孔を有するロッカー案内孔が形成され、一部に連結されたスプリングにより、ガイドアームを前方に移動させようとする回転力を有するセレクトアームと、
前記チャッキングプレートの底面で、前記セレクトアームの中心軸に結合され、中心軸を中心に所定の角度に回転可能にかつ左右に直線移動可能に取り付けられ、一部には、前記ロッカー案内孔に挿入されロッカー係止孔に係止されるロッカーが設けられ、一端には、回転しながら前記チャッキング部の一部を加圧してチャッキング部を駆動させるプッシャーが設けられ、一部に連結されたスプリングによりプッシュ方向の反対方向に移動しようとする力を有するプッシュアームと、
前記プレーヤー本体の一部に取り付けられ、前端には、大直径の光ディスクがローディングされるとき、光ディスクにより押し付けられる掛かりピンが下方に延設され、光ディスクが掛かりピンを押すと、回転中心軸を中心に回転して前記プッシュアームの一部を加圧して、プッシュアームのロッカーをロッカー係止孔から離脱させ、一部に連結されたスプリングにより、掛かりピンを押している力が除去されると、元の状態に復帰するプッシュレバーとを含んでなり、
前記プレーヤー入口にはガイド手段が設けられるが、前記ガイド手段は、
前記プレーヤー入口のセンターに対して左右に、かつ対称にそれぞれガイドピンが設けられ、プレーヤー入口に挿入される光ディスクにガイドピンが接触し、光ディスクの直径によってセンターから同一幅に広がりながら光ディスクをプレーヤー入口のセンターに案内するように構成されることを特徴とするスロットインタイプの光ディスクプレーヤー。
【請求項８】
前記チャッキングプレートの中間部には前後方向に長いスロットが形成され、前記ガイドアームの上面中間部には、前記チャッキングプレートのスロットに挿入されスロットに沿って移動するスライダが設けられ、前記ガイドアームはチャッキングプレートの底面で前後に移動可能に構成され、前記ガイドアームの上面には、スライダから所定の間隔を置いて連結片が突設され、前記セレクトアームの一端には、連結片が結合される連結孔が長く形成されることにより、セレクトアームとガイドアームが連結されることを特徴とする請求項７に記載のスロットインタイプの光ディスクプレーヤー。
【請求項９】
前記セレクトアームの中心軸の下端にはフックが形成され、前記プッシュアームには、セレクトアームの中心軸が結合されるスライド孔が長く形成され、前記プッシュアームはスライド孔に沿って左右に直線移動可能に構成されることを特徴とする請求項７に記載のスロットインタイプの光ディスクプレーヤー。
【請求項１０】
前記ガイド手段は、
前記プレーヤー入口の上部センターに回転可能に設けられるピニオンギヤと、
前記プレーヤー入口の上部で横方向に直線移動可能に設けられ、一部にはピニオンギヤの上部と噛み合うラックギヤが形成され、前部には前記左側ガイドピンが設けられて下方に延在してプレーヤー入口に露出するようになった左側ガイダーと、
前記プレーヤー入口の上部で横方向に直線移動可能に設けられ、一部にはピニオンギヤの下部と噛み合うラックギヤが形成され、前部には前記右側ガイドピンが設けられて下方に延在してプレーヤー入口に露出するようになった右側ガイダーと、
前記左側ガイダーと右側ガイダーに連結され、前記ガイドピンを互いに引き寄せる方向に弾性力を付与するスプリングとを含むことを特徴とする請求項７に記載のスロットインタイプの光ディスクプレーヤー。
【発明の詳細な説明】
【技術分野】
【０００１】
本発明はスロットインタイプの光ディスクプレーヤーに係り、より詳しくは８０ｍｍディスク及び１２０ｍｍディスクのいずれかがプレーヤーの内部にローディングされるとき、ディスクのサイズにかかわらず、単一のメカニズムでターンテーブルのセンターに正確に定着できるようにしたスロットインタイプの光ディスクプレーヤーに関するものである。
【背景技術】
【０００２】
一般に、光ディスクプレーヤーは、ディスクに記録された情報を、光学系を用いて再生又は記録する装置であって、ローディング方式によってトレイタイプとスロットインタイプに区分される。
【０００３】
トレイタイプの光ディスクプレーヤーは、ディスクを支持するためのトレイがプレーヤーの外部に排出され、このトレイに載せられたディスクをプレーヤーの内部に挿入させるローディング方式のタイプで、通常コンピュータ、オーディオなどのような電子製品に多く使用される。しかし、このタイプの光ディスクプレーヤーは、トレイを駆動させるための空間上制約のため、車両用としては適していない欠点がある。
【０００４】
したがって、車両用としては、スロットインタイプの光ディスクプレーヤーが広く使用されている。スロットインタイプの光ディスクプレーヤーは、入口に光ディスクを挿入すると、モータによりローラが回転しながら光ディスクをプレーヤーの内部に自動に挿入させるローディング方式である。このように、スロットインタイプの光ディスクプレーヤーはトレイを使用しないため、トレイを排出するのに必要な空間の確保が要求されないので、車両用として適した利点がある。
【０００５】
スロットインタイプの光ディスクプレーヤーの基本的な構成をより詳細に説明すると、ディスクが定着されるターンテーブルと、プレーヤーの入口に挿入されるディスクをプレーヤーの内部に引き込んでターンテーブルに定着させるローディング部と、ターンテーブルを回転させる駆動部と、ターンテーブルの回転中にディスクが離脱することを防止するクランピング部と、ディスクの直径方向に直線往復運動しながら、ディスクに収録された情報を再生するかあるいは記録する光ピックアップと、光ピックアップを往復運動させる移送部とを含んでなる。さらに、８０ｍｍディスクと１２０ｍｍディスクを兼用するスロットインタイプの光ディスクプレーヤーの場合は、ローディングに際して、直径の異なるディスクのいずれでもターンテーブルの中心に正確に定着されるようディスクの中心を案内するディスクガイド装置を含む。
【０００６】
その一例として、８０ｍｍ／１２０ｍｍディスク兼用の自動車用ディスクプレーヤーが開示されている（例えば、特許文献１参照）。
【０００７】
この特許文献１に開示された従来のディスクガイド装置は、デックフレーム上に回動可能にレバーセレクタが固定され、このレバーセレクタには、デックの内側にローディングされるディスクを感知するガイド突起及びアームロックガイドを駆動させる突起が設けられる。レバーセレクタの一端には、デックフレームに、アームロックガイドがヒンジを中心に回動可能に固定される。アームロックガイドは、レバーセレクタの突起に一端が当接し、他端はガイドアームの係止ピンを拘束するロック部が形成される。すると、デックフレームの内側にローディングされるディスクにより回動するレバーセレクタの一端と当接する突起により、アームロックガイドの他端は所定角度だけ回動し、回動するアームロックガイドの他端に形成されたロック部がガイドアームの係止ピンを拘束あるいは解除することになる。そして、同一量ずつ回動できるように、左右側ガイドアームの一端には、対応する歯形を有する歯車が形成され、歯車が噛み合う各ガイドアームの他端に形成されたストッパーがクランプの弧状ガイドに沿って滑着する構成を有する。また、外周面に滑着するガイドアームの一端とアームロックガイドは引張スプリングで連結され、ローディングされるディスクは、８０ｍｍ／１２０ｍｍに応じて位置が変化したストッパーに接することになる。
【０００８】
しかし、このように構成される従来のディスクガイド装置は、ディスクをガイドするガイドアームが二つからなり、歯車と噛み合った状態で作動するため、部品数が増加して組立性を悪くし、作動が複雑になって故障率が増加する欠点があった。
【０００９】
また、プレーヤーを長期間使用するか、あるいは作動時に発生する衝撃がガイドアームの歯車に持続的に伝達されると、ガイドアームの歯車部分で磨耗が発生して、円滑な作動ができなくなる問題点があった。
【００１０】
ほかの例として、ディスクプレーヤーのディスクローディング装置が開示されている（例えば、特許文献２参照）。
【００１１】
この特許文献２に開示された構成は、第１ディスクとこの第１ディスクより小さい第２ディスクをチャッキング位置にローディングさせるディスクプレーヤーのディスクローディング装置において、挿入された一ディスクを内部に移送させる移送ローラが取り付けられるメインシャーシと、駆動モータの動力を前記移送ローラに伝達する伝動ユニットと、挿入されるディスクのローディング方向に往復移動可能に前記メインシャーシに設けられ、移動位置によって前記伝動ユニットに選択的に連結されて往復駆動されるスライダと、第１ディスクの挿入の際、その挿入される第１ディスクに押し込まれて移動しながら第１ディスクをチャッキング位置にガイドし、スライダを移動させて前記伝動ユニットに連結させる第１連動メカニズムと、第２ディスクが前記第１連動メカニズムに接触したままでガイドされてチャッキング位置に移動するとき、第２ディスクに押されて移動しながら前記スライダを前記伝動ユニットに連結させる第２連動メカニズムと、スライダと連動して、前記ローディング方向と交差する方向に往復移動しながら前記第１ガイドユニットを連動させてチャッキング位置に配置した第１ディスク又は第２ディスクから前記第１連動メカニズムを離隔させるサブシャーシと、挿入される第１ディスク又は前記サブシャーシと連動し、前記第１連動メカニズムの動きを選択的にロック又は解除するロックレバーとを含んでなる。
【００１２】
このように構成される従来の光ディスクプレーヤーは、直径１２０ｍｍの第１ディスクが挿入されるときは、第１連動メカニズムによりチャッキングメカニズムが作動してディスクをチャッキングさせ、直径８０ｍｍの第２ディスクが挿入されるときは、第２連動メカニズムによりチャッキングメカニズムが作動してディスクをチャッキングさせる構造を有する。
【００１３】
ところが、ディスクの大きさに応じて連動するメカニズムが異なるため、作動が複雑で故障率が増加し、全体構造が複雑になり、組立性及び生産性が低下する欠点がある。
【特許文献１】大韓民国特許登録第１６７０６９号明細書
【特許文献２】大韓民国特許公開第２００３−９４９２７号明細書
【発明の開示】
【発明が解決しようとする課題】
【００１４】
したがって、本発明は前述したような諸般問題点を解決するためになされたもので、その目的は、相違したサイズを有するディスクがターンテーブルに正確に定着されるように案内するディスクガイド装置を備え、このガイド装置の構造を単純に設計して簡単な作動を可能にすることにより、故障率を最小化し、組立性及び生産性を向上させたスロットインタイプの光ディスクプレーヤーを提供することにある。
【００１５】
本発明のほかの目的は、ローディング部の一部に別途のガイド手段を備えて、プレーヤーの入口に挿入される光ディスクがプレーヤーの入口のセンターに正確に挿入できるようにしたスロットインタイプの光ディスクプレーヤーを提供することにある。
【課題を解決するための手段】
【００１６】
前記のような目的を達成するため、本発明は、直径の相違した光ディスクをプレーヤーの内部のターンテーブルのセンターに正確に案内するガイド装置を備えたスロットインタイプの光ディスクプレーヤーにおいて、前記ガイド装置は、プレーヤー本体に、後部のチャッキング回転軸を中心に上下に回動可能に取り付けられ、前部には光ディスクのセンターの上面を加圧するチャックを有するチャッキングプレートと、前記チャッキングプレートの底面に前後に移動可能に取り付けられ、底面の両端には、引き込まれる光ディスクをターンテーブルのセンターに正確に案内する掛かり突起が突設されたガイドアームと、前記チャッキングプレートの上面に中心軸を中心に所定の角度に回転可能に取り付けられ、一端は前記ガイドアームに連結され、他端は第１ロッカー係止孔及び第２ロッカー係止孔を有するロッカー案内孔が形成され、一部に連結されたスプリングにより、ガイドアームを前方に移動させようとする回転力を有するセレクトアームと、前記チャッキングプレートの底面で、前記セレクトアームの中心軸に結合され、中心軸を中心に所定の角度に回転可能にかつ左右に直線移動可能に取り付けられ、一部には、前記ロッカー案内孔に挿入されロッカー係止孔に係止されるロッカーが設けられ、一部に連結されたスプリングによりプッシュ方向の反対方向に移動しようとする力を有するプッシュアームと、前記プレーヤー本体の一部に取り付けられ、前端には、大直径の光ディスクがローディングされるとき、光ディスクにより押し付けられる掛かりピンが下方に延設され、光ディスクが掛かりピンを押すと、回転中心軸を中心に回転して前記プッシュアームの一部を加圧して、プッシュアームのロッカーをロッカー係止孔から離脱させ、一部に連結されたスプリングにより、掛かりピンを押している力が除去されると、元の状態に復帰するプッシュレバーとを含んでなるスロットインタイプの光ディスクプレーヤーを提供する。
【００１７】
前記チャッキングプレートの中間部には前後方向に長いスロットが形成され、前記ガイドアームの上面中間部には、前記チャッキングプレートのスロットに挿入されスロットに沿って移動するスライダが設けられ、前記ガイドアームはチャッキングプレートの底面で前後に移動可能に構成される。
【００１８】
前記ガイドアームの上面には、スライダから所定の間隔を置いて連結片が突設され、前記セレクトアームの一端には、連結片が結合される連結孔が長く形成されることにより、セレクトアームとガイドアームが連結される。
【００１９】
前記セレクトアームの中心軸の下端にはフックが形成され、前記プッシュアームには、セレクトアームの中心軸が結合されるスライド孔が長く形成され、前記プッシュアームはスライド孔に沿って左右に直線移動可能に構成される。
【００２０】
また、前記目的を達成するため、本発明は、プレーヤー入口に挿入される光ディスクをターンテーブルに定着させるため、プレーヤー本体内にローディングさせるローディング部を備えたスロットインタイプの光ディスクプレーヤーにおいて、前記プレーヤー入口には、センターに対して左右に、かつ対称にそれぞれガイドピンが設けられ、プレーヤー入口に挿入される光ディスクにガイドピンが掛かり、光ディスクの直径によってセンターから同一幅に広がりながら光ディスクをプレーヤー入口のセンターに案内するように構成されるガイド手段を含んでなるスロットインタイプの光ディスクプレーヤーを提供する。
【００２１】
前記ガイド手段は、前記プレーヤー入口の上部センターに回転可能に設けられるピニオンギヤと、前記プレーヤー入口の上部で横方向に直線移動可能に設けられ、一部にはピニオンギヤの上部と噛み合うラックギヤが形成され、前部には前記左側ガイドピンが設けられて下方に延在してプレーヤー入口に露出するようになった左側ガイダーと、前記プレーヤー入口の上部で横方向に直線移動可能に設けられ、一部にはピニオンギヤの下部と噛み合うラックギヤが形成され、前部には前記右側ガイドピンが設けられて下方に延在してプレーヤー入口に露出するようになった左側ガイダーと、前記左側ガイダーと右側ガイダーに連結され、前記ガイドピンを互いに引き寄せる方向に弾性力を付与するスプリングとを含む。
【発明の効果】
【００２２】
以上のような本発明によると、８０ｍｍ及び１２０ｍｍ光ディスクのいずれでも駆動させて使用することができるので、直径の相違したディスクを駆動するため、別途のプレーヤーを備える必要がなく、よって経済的で実用的な効果がある。
【００２３】
また、本発明は、ローディング部にガイド手段を備えて、挿入される光ディスクを常にプレーヤーの入口のセンターに正確に案内するため、光ディスクが正確に挿入されないことによる問題点を解消する効果がある。
【００２４】
また、本発明は、ディスクガイド装置の構成を簡素化したので、費用の低減のみならず、作動性の向上、故障率の最小化などの効果がある。
【発明を実施するための最良の形態】
【００２５】
以下、添付図面に基づいて本発明を詳細に説明する。
図１は本発明によるスロットインタイプの光ディスクプレーヤーを示す平面図、図２は図１の正面図、図３は本発明のディスクガイド装置の構成を説明するための分解斜視図、図４は本発明のローディング部のガイド手段の構成を示す分解斜視図である。
【００２６】
同図に示すように、本発明によるプレーヤー本体１０は、メインシャーシ１２と、このメインシャーシ１２の上面に覆われるように組み立てられるガイドシャーシ１４とからなり、組み立てられたメインシャーシ１２とガイドシャーシ１４の正面部にプレーヤー入口１６を形成する。
【００２７】
プレーヤー本体１０の前方、つまりプレーヤー入口１６には、挿入される光ディスクをプレーヤー本体１０の内部にローディングさせるローディング部１００が設けられ、プレーヤー本体１０の内部には、相違したサイズを有する光ディスク、つまり８０ｍｍ光ディスクＤ１と１２０ｍｍ光ディスクＤ２がターンテーブルＴのセンターに正確に定着されるように案内するディスクガイド装置２００が設けられ、プレーヤー本体１０の一端には、ターンテーブルＴが回転しているうち、光ディスクが分離されることを防止するため、光ディスクの上面を押しつけるチャック部３００が設けられる。
【００２８】
ローディング部１００は、モータ（図示せず）の回転力により、プレーヤー入口１６に挿入される光ディスクをプレーヤー本体１０の内部に強制に引き込むローラ１０２と、相違したサイズを有する光ディスクＤ１、Ｄ２をプレーヤー入口１６のセンターに正確に案内するガイド手段とを含んでなる。
【００２９】
ガイド手段は、ガイドシャーシ１４の内部に設けられるものであって、そのセンターに回転可能に設けられるピニオンギヤ１１０と、このピニオンギヤ１１０の上部と噛み合うラックギヤ１２２が一部に形成され、横方向に直線移動可能に設けられる左側ガイダー１２０と、ピニオンギヤ１１０の下部と噛み合うラックギヤ１３２が一部に形成され、横方向に直線移動可能に設けられる右側ガイダー１３０と、左側ガイダーと右側ガイダーを互いに引き寄せる弾性力を付与するスプリング１４０とからなる。
【００３０】
この際、左側ガイダー１２０が横方向に直線移動できるよう、左側ガイダー１２０には横方向に二つの長いガイド孔１２８が形成され、ガイドシャーシ１４には、それぞれのガイド孔に挿入されて左側ガイダーを支持するガイド突起１２９が突設される。また、右側ガイダー１３０が横方向に直線移動できるよう、右側ガイダー１３０には横方向に二つの長いガイド孔１３８が形成され、ガイドシャーシ１４には、それぞれのガイド孔に挿入されて右側ガイダーを支持するガイド突起１３９が突設される。
【００３１】
つぎに、左側ガイダー１２０には、前方一部の底面から下方に延在しガイドシャーシ１４を通過した後プレーヤー入口１６に露出される左側ガイドピン１２４が設けられ、右側ガイダー１３０には、前方一部の底面から下方に延在しガイドシャーシ１４を通過した後プレーヤー入口１６に露出される右側ガイドピン１３４が設けられる。前記左側ガイドピン１２４と右側ガイドピン１３４はプレーヤー入口１６の中心の左右に、かつ対称に配設されるもので、プレーヤー入口１６に挿入される光ディスクに接触し、光ディスクの直径に応じて、中心から同一距離だけ広がりながら光ディスクをプレーヤー入口の中心に案内する。
【００３２】
スプリング１４０は、一端が左側ガイダー１２０の一部から前方に延在する掛かり片１２６に連結され、他端が右側ガイダー１３０の一部から前方に延長された掛かり片１３６に連結される。よって、スプリング１４０は、左側ガイドピン１２４と右側ガイドピン１３４に、互いに近接する方向に弾性力を付与する。
【００３３】
ガイドシャーシ１４の一部には、左側ガイダー１２０の位置を感知して、挿入される光ディスクのサイズを区分するとともに、モータ（図示せず）に信号を送信してローラ１０２を回転作動させる第１センサー２０と第２センサー３０が設けられる。すなわち、第１センサー２０で感知されると、８０ｍｍ光ディスクＤ１が挿入されたことを示し、第２センサー３０で感知されると、１２０ｍｍ光ディスクＤ２が挿入されたことを示す。
【００３４】
このように構成されるローディング部１００により光ディスクがプレーヤー本体１０の内部にローディングされるとき、プレーヤー本体１０内に設けられたディスクガイド装置２００は、ローディングされる光ディスクを案内してターンテーブルＴのセンターに正確に定着させる役割を果たす。
【００３５】
ディスクガイド装置２００は、プレーヤー本体１０に挿着された後部のチャッキング回転軸２１６により上下に回動可能に取り付けられ、前部には光ディスクのセンターの上面を押し付けるチャック２１２を有するチャッキングプレート２１０と、チャッキングプレートの底面で前後に移動可能に設けられるガイドアーム２２０と、１２０ｍｍ光ディスクＤ２が挿入されると、これを収容するため、ガイドアーム２２０を選択的に後方に移動させる選択的ディスク収容機構とからなる。
【００３６】
ガイドアーム２２０をチャッキングプレート２１０に組み込むため、チャッキングプレート２１０の中間部には前後方向に長いスロット２１４が形成され、ガイドアーム２２０の上面中間部には、チャッキングプレート２１０のスロット２１４に挿入されて前後に移動するスライダ２２２が一体的に形成される。もちろん、スライダ２２２の両端はスロット２１４の幅より広く形成して、スライダ２２２がスロット２１４のエッジ部に掛かるようにし、スロット２１４の一端にはスライダ２２２と同程度の幅を有する挿入孔を形成することにより、スライダ２２２がスロット２１４に容易に挿入されるようにする。
【００３７】
ガイドアーム２２０の上面には、スライダ２２２から所定の間隔を置き、後述のセレクトアーム２３０に連結するための連結片２２４が一体的に形成され、ガイドアーム２２０の底面両端には掛かり突起２２６が下方に突設されて、挿入される光ディスクをターンテーブルＴのセンターに正確に案内する。この際、両端の掛かり突起２２６をターンテーブルＴの中心の左右に、かつ対称になるように配設しなければならない。
【００３８】
つぎに、選択的ディスク収容機構は、セレクトアーム２３０と、プッシュアーム２４０と、プッシュレバー２５０とからなる。
【００３９】
セレクトアーム２３０は、底面一部から下方に延設された中心軸２３２がチャッキングプレート２１０の上面に装着され、中心軸２３２を中心に所定角度に回転できるように取り付けられる。そして、一端部には、ガイドアーム２２０の連結片２２４が挿入されて連結されるよう、連結孔２３４が長手方向に長く形成され、他端部にはロッカー案内孔２３６が形成される。ここで、中心軸２３２の下端部には、後述するプッシュアーム２４０と連結されるよう、フック２３２ａが形成される。ロッカー案内孔２３６は略Ｖ字状に形成され、一部に第１ロッカー係止孔２３６ａが形成され、他部には第２ロッカー係止孔２３６ｂが形成される。セレクトアーム２３０の一部にはスプリング２３８の一端が連結され、前記スプリングの他端はチャッキングプレート２１０の一部に連結されることにより、ガイドアーム２２０を前方に移動させる方向に、セレクトアーム２３０に回転力を付与する。
【００４０】
プッシュアーム２４０は、チャッキングプレート２１０の底面でセレクトアーム２３０の中心軸２３２と結合して、中心軸を中心に所定の角度に回転しながら左右に直線移動できるように取り付けられる。すなわち、プッシュアーム２４０の一部には、セレクトアーム２３０の中心軸２３２と結合される長いスライド孔２４２が形成され、この中心軸２３２を基準にプッシュアーム２４０が左右に直線移動しながら回転できるように取り付けられるものである。もちろん、中心軸２３２の下端に形成されたフック２３２ａがスライド孔２４２のエッジ部に掛かることにより、プッシュアーム２４０がチャッキングプレート２１０の底面に装着される。また、プッシュアーム２４０の一部には、ロッカー案内孔２３６に挿入されて、第１ロッカー係止孔２３６ａ又は第２ロッカー係止孔２３６ｂに選択的に掛かるロッカー２４４が設けられる。また、プッシュアーム２４０の一端部、つまりスライド孔２４２の反対側端部には、プッシャー２４６が一体的に形成される。このプッシャー２４６は、プッシュアーム２４０が中心軸２３２を中心に回転するとき、チャッキング部３００のセンサーレバー３１０（仮想線で示す）を押し付けて、チャッキング部を駆動させる。プッシュアーム２４０の一部にはスプリング２４８の一端が連結され、スプリングの他端はチャッキングプレート２１０の一部に連結されることにより、プッシュアーム２４０がプッシュ方向の反対方向に移動しようとする弾性力を付与する。
【００４１】
プッシュレバー２５０は、ガイドシャーシ１４の一端部に、回転中心軸２５２を中心に所定の角度に回転可能に取り付けられる。プッシュレバー２５０の先端の底面に下方に延長される掛かりピン２５４が延設され、プッシュレバー２５０の後端部はプッシュアーム２４０と近接するように取り付けられる。ここで、掛かりピン２５４は８０ｍｍ光ディスクＤ１が挿入されるとこれと接触しないが、１２０ｍｍ光ディスクＤ２が挿入されると、光ディスクの外周に接触し外横方向に移動するように取り付けられる。したがって、１２０ｍｍ光ディスクがローディングされながら掛かりピン２５４を押すと、回転中心軸２５２を中心にプッシュレバー２５０が回転する。この際、プッシュレバー２５０の後端部がプッシュアーム２４０の一部を押し付けて、プッシュアーム２４０のロッカー２４４がロッカー係止孔から離脱するようにする。また、プッシュレバー２５０の一部にはスプリング２５６の一端が連結され、スプリングの他端はガイドシャーシ１４の一部に連結されるので、掛かりピン２５４を押している力が除去されると、プッシュレバー２５０が元の状態に復元される。
【００４２】
本発明において、チャッキング部３００は公知の技術とその構成及び作用が同一であるので、その詳細な説明は省略する。
【００４３】
つぎに、このように構成される本発明の作動及び作用効果を説明する。
まず、図５ａないし図５ｃに基づき、８０ｍｍ光ディスクがローディングされてターンテーブルに正確に定着及びチャッキングされる作動を説明する。
【００４４】
図５ａに示すように、プレーヤー入口１６を介して８０ｍｍ光ディスクＤ１を挿入すると、光ディスクが左側ガイドピン１２４と右側ガイドピン１３４に接触し、プレーヤー入口１６のセンターに案内される。この際、左側ガイドピン１２４とともに左側ガイダー１２０が移動し、これを第１センサー２０が感知し、その感知信号をモータに送信する。すると、モータが作動してローラ１０２を回転させ、この回転するローラ１０２は挿入された光ディスクを強制に引き込んでプレーヤー本体１０内に移送させる。
【００４５】
この際、８０ｍｍ光ディスクＤ１はサイズが小さいため、図５ｂに示すように、プッシュレバー２５０の掛かりピン２５４と接触することなく、光ディスクはガイドアーム２２０の掛かり突起２２６と接触するまで前進移動する。もちろん、光ディスクがガイドアーム２２０の掛かり突起２２６にぶつかると、もう一度センターに案内され、よって光ディスクはターンテーブルＴの中心に正確に位置することになる。
【００４６】
この状態で、図５ｃに示すように、光ディスクがさらに前進移動すると、ガイドアーム２２０が後方に少し移動し、ガイドアーム２２０に連結されたセレクトアーム２３０が中心軸２３２を中心に所定角度だけ回動して、第１ロッカー係止孔２３６ａに係止されているロッカー２４４を前方に押し付ける。すると、プッシュアーム２４０が中心軸２３２を中心に回転することにより、プッシュアーム２４０のプッシャー２４６がチャッキング部３００のセンサーレバーを押してチャッキング部を作動させる。この際、光ディスクはターンテーブルＴの上面に定着され、チャッキング部３００が作動して、チャッキングプレート２１０をチャッキング回転軸２１６を中心に回転させることで、チャック２１２が光ディスクの上面を加圧することになる。このように、チャック２１２が光ディスクの上面を加圧すると、ターンテーブルＴが回転して光ディスクを回転させる。
【００４７】
つぎに、図６ａないし図６ｄに基づき、１２０ｍｍ光ディスクがローディングされターンテーブルに正確に定着及びチャッキングされる作動を説明する。
【００４８】
図６ａに示すように、プレーヤー入口１６を介して１２０ｍｍ光ディスクＤ２を挿入すると、光ディスクが左側ガイドピン１２４と右側ガイドピン１３４に掛かり、プレーヤー入口１６のセンターに案内される。この際、左側ガイドピン１２４とともに左側ガイダー１２０が移動し、これを第２センサー３０が感知し、その感知信号をモータに送信する。すると、モータが作動してローラ１０２を回転させ、この回転するローラ１０２は挿入された光ディスクを強制に引き込んでプレーヤー本体１０内に移送させる。
【００４９】
プレーヤー本体１０に引き込まれる１２０ｍｍ光ディスクＤ２は、図６ｂに示すように、プッシュレバー２５０の掛かりピン２５４を押すので、プッシュレバー２５０は回転中心軸２５２を中心に回転する。そして、プッシュレバー２５０は回転しながらプッシュアーム２４０を押して横方向内側に移動させる。この際、プッシュアーム２４０のスライド孔２４２が長孔に形成されているので、プッシュアーム２４０が横方向に移動できる。プッシュアーム２４０が移動するにしたがい、ロッカー２４４が第１ロッカー係止孔２３６ａから離脱し、光ディスクは前進し続けてガイドアーム２２０の掛かり突起２２６に接触する。もちろん、光ディスクがガイドアーム２２０の掛かり突起２２６にぶつかると、もう一度センターに案内されるので、光ディスクはターンテーブルＴの中心に正確に位置することになる。
【００５０】
この状態で、光ディスクがさらに前進移動すると、図６ｃに示すように、光ディスクＤ２がガイドアーム２２０を押し入れる。すると、ガイドアーム２２０がチャッキングプレート２１０のスロット２１４に沿って後方に移動し、これにより、ガイドアーム２２０に連結されたセレクトアーム２３０が中心軸２３２を中心に所定角度だけ回転する。この際、ロッカー２４４はロッカー案内孔２３６に沿って案内されて第２ロッカー係止孔２３６ｂの入口部に位置することになる。この際、光ディスクが前進移動しながら、プッシュレバー２５０の掛かりピン２５４を押し付けている力を除去するため、スプリング２５６の復元力によりプッシュレバー２５０が元の状態に復元して、プッシュアーム２４０を加圧している力を解除する。これと同時に、プッシュアーム２４０に連結されたスプリング２４８の復元力により、プッシュアーム２４０が元の位置に復帰し、ロッカー２４４が第２ロッカー係止孔２３６ｂに係止される。
【００５１】
この状態で、光ディスクがさらに前進移動すると、図６ｄに示すように、セレクトアーム２３０がもう少し回転し、第２ロッカー係止孔２３６ｂに係止されているロッカー２４４を前方に押し付ける。すると、プッシュアーム２４０が中心軸２３２を中心に回転することにより、プッシュアーム２４０のプッシャー２４６がチャッキング部３００のセンサーレバー３１０を押してチャッキング部３００を作動させる。この際、光ディスクはターンテーブルＴの上面に定着され、チャッキング部３００が作動するにしたがい、チャッキングプレート２１０がチャッキング回転軸を中心に回転し、チャック２１２が光ディスクの上面を加圧する。チャック２１２が光ディスクの上面を加圧すると、ターンテーブルＴが回転して光ディスクを回転させる。
【００５２】
以上のように、本発明は、一つのスロットインタイプの光ディスクプレーヤーで、直径の相違した８０ｍｍ及び１２０ｍｍ光ディスクのいずれでも駆動させて、光ディスクに記録された情報などを容易に再生又は記録することができる。
【００５３】
また、本発明による光ディスクプレーヤーは、ローディング部にガイド手段が設けられているため、挿入される光ディスクが常にプレーヤー入口のセンターに正確に案内されて引き込まれる。
【００５４】
また、本発明によるガイド装置は、従来のガイド装置に比べて構成が単純であるため、部品数が減少して費用が低減され、作動が容易な利点があり、これにより、組立性及び生産性が向上するだけでなく、故障率が最小化する利点がある。
【００５５】
以上のように、本発明は特定の実施例に基づいて例示及び説明したが、請求範囲による本発明の思想及び領域から外れない範囲内で多様な改造及び変形が可能であることが、当業者であれば誰でも易く分かる。
【図面の簡単な説明】
【００５６】
【図１】図１は、本発明によるスロットインタイプの光ディスクプレーヤーを示す平面図である。
【図２】図２は、本発明によるスロットインタイプの光ディスクプレーヤーを示す正面図である。
【図３】図３は、本発明によるガイド装置の構成を示す分解斜視図である。
【図４】図４は、本発明によるローディング部に設けられたガイド手段の構成を示す分解斜視図である。
【図５ａ】図５ａは、８０ｍｍ光ディスクがターンテーブルに定着されるとき、本発明によるローディング部のガイド手段とディスクガイド装置の作動を示す平面図である。
【図５ｂ】図５ｂは、８０ｍｍ光ディスクがターンテーブルに定着されるとき、本発明によるローディング部のガイド手段とディスクガイド装置の作動を示す平面図である。
【図５ｃ】図５ｃは、８０ｍｍ光ディスクがターンテーブルに定着されるとき、本発明によるローディング部のガイド手段とディスクガイド装置の作動を示す平面図である。
【図６ａ】図６ａは、１２０ｍｍ光ディスクがターンテーブルに定着されるとき、本発明によるローディング部のガイド手段とディスクガイド装置の作動を示す平面図である。
【図６ｂ】図６ｂは、１２０ｍｍ光ディスクがターンテーブルに定着されるとき、本発明によるローディング部のガイド手段とディスクガイド装置の作動を示す平面図である。
【図６ｃ】図６ｃは、１２０ｍｍ光ディスクがターンテーブルに定着されるとき、本発明によるローディング部のガイド手段とディスクガイド装置の作動を示す平面図である。
【図６ｄ】図６ｄは、１２０ｍｍ光ディスクがターンテーブルに定着されるとき、本発明によるローディング部のガイド手段とディスクガイド装置の作動を示す平面図である。
【符号の説明】
【００５７】
１０    プレーヤー本体
１２    メインシャーシ
１４    ガイドシャーシ
１６    プレーヤー入口
２０    第１センサー
３０    第２センサー
１００    ローディング部
１０２    ローラ
１１０    ピニオンギヤ
１２０    左側ガイダー
１２２    ラックギヤ
１２４    左側ガイドピン
１２６    掛かり片
１２８    ガイド孔
１２９    ガイド突起
１３０    右側ガイダー
１３２    ラックギヤ
１３４    右側ガイドピン
１３６    掛かり片
１３８    ガイド孔
１３９    ガイド突起
１４０    スプリング
２００    ディスクガイド装置
２１０    チャッキングプレート
２１２    チャック
２１４    スロット
２１６    チャッキング回転軸
２２０    ガイドアーム
２２２    スライダ
２２４    連結片
２２６    掛かり突起
２３０    セレクトアーム
２３２    中心軸
２３２ａ    フック
２３４    連結孔
２３６    ロッカー案内孔
２３６ａ    第１ロッカー係止孔
２３６ｂ    第２ロッカー係止孔
２３８    スプリング
２４０    プッシュアーム
２４２    スライド孔
２４４    ロッカー
２４６    プッシャー
２４８    スプリング
２５０    プッシュレバー
２５２    回転中心軸
２５４    掛かりピン
２５６    スプリング
３００    チャッキング部
３１０    センサーレバー
Ｄ１    ８０ｍｍ光ディスク
Ｄ２    １２０ｍｍ光ディスク
Ｔ    ターンテーブル
【図１】
2005332550.tif 000003
【図２】
2005332550.tif 000004
【図３】
2005332550.tif 000005
【図４】
2005332550.tif 000006
【図５ａ】
2005332550.tif 000007
【図５ｂ】
2005332550.tif 000008
【図５ｃ】
2005332550.tif 000009
【図６ａ】
2005332550.tif 000010
【図６ｂ】
2005332550.tif 000011
【図６ｃ】
2005332550.tif 000012
【図６ｄ】
2005332550.tif 000013